(57)【要約】      （修正有）【課題】着脱式の集音装置にインクが付着することを抑制できる駆動装置を提供する。【解決手段】駆動装置は、インクジェットヘッドを含む駆動機構と、駆動機構を覆うケースと、ケースに、外部から集音装置を挿入可能な、ケースの内部と連通する空間を形成する凹部４００と、凹部内の空間とケース内の空間とを屈曲を介して接続する連通部６００と、を備える。【選択図】図３
2019064072.tif 000002
【特許請求の範囲】
【請求項１】
インクジェットヘッドを含む駆動機構と、
前記駆動機構を覆うケースと、
前記ケースに、外部から集音装置を挿入可能な、前記ケースの内部と連通する空間を形成する凹部と、
前記凹部内の空間と前記ケース内の空間とを屈曲を介して接続する連通部と、を備える、
駆動装置。
【請求項２】
前記連通部は、前記ケースに貫通する貫通穴と、前記ケース内部において前記貫通穴と重なるように配置された壁部とにより構成される、
請求項１に記載の駆動装置。
【請求項３】
前記凹部内には、前記凹部と前記凹部に挿入された前記集音装置との間に生じる隙間を塞ぐ塞ぎ部材が設けられる、
請求項１又は２に記載の駆動装置。
【請求項４】
前記凹部の底部には、振動緩衝部材が配置され、
前記集音装置を前記振動緩衝部材に押し付ける押付部材が、前記ケースに配置される、
請求項１から３のいずれか一項に記載の駆動装置。
【請求項５】
前記ケースに、複数の前記凹部を有し、
前記凹部は、前記ケースの幅方向において前記ケースの中央部より端部側に形成される、
請求項１から４のいずれか一項に記載の駆動装置。
【請求項６】
前記凹部を形成する形成部材は、前記ケースに対して着脱可能に構成される、
請求項１から５のいずれか一項に記載の駆動装置。
【請求項７】
インクジェットヘッドを含む印刷機構と、
前記印刷機構を覆うケースと、
前記ケースに、外部から集音装置を挿入可能な、前記ケースの内部と連通する空間を形成する凹部と、
前記凹部内の空間と前記ケース内の空間とを屈曲を介して接続する連通部と、を備える、
印刷装置。
【発明の詳細な説明】
【技術分野】
【０００１】
本発明は、駆動装置、及び、印刷装置に関する。
【背景技術】
【０００２】
従来、集音装置により装置の内部音を集音する技術が知られている（例えば、特許文献１参照）。特許文献１は、装置（画像処理装置）内の複数箇所に集音装置（マイク）を配置し、内部音として装置の動作音を集音する技術を開示する。
【先行技術文献】
【特許文献】
【０００３】
【特許文献１】特開２０１６−１４８１８号公報
【発明の概要】
【発明が解決しようとする課題】
【０００４】
しかしながら、特許文献１では、集音装置を装置内に着脱不能に配置しており、集音装置を着脱することについて開示がない。また、装置がインクジェットヘッドを備える印刷装置である場合、キャリッジの動作等にともないインクミストが発生する虞があり、集音装置が着脱式であると、集音装置に付着したインクで手が汚れる等のユーザーに影響を与える可能性があった。
そこで、本発明は、着脱式の集音装置にインクの付着を抑制できるようにすることを目的とする。
【課題を解決するための手段】
【０００５】
上記課題を解決するために、本発明の駆動装置は、インクジェットヘッドを含む駆動機構と、前記駆動機構を覆うケースと、前記ケースに、外部から集音装置を挿入可能な、前記ケースの内部と連通する空間を形成する凹部と、前記凹部内の空間と前記ケース内の空間とを屈曲を介して接続する連通部と、を備える。
本発明によれば、凹部内の空間とケース内の空間とを屈曲を介して接続する連通部を備えるため、集音装置にインクが付着することを抑制した上で、集音装置に装置の内部音を集音させることができる。
【０００６】
また、本発明は、前記連通部は、前記ケースに貫通する貫通穴と、前記ケース内部において前記貫通穴と重なるように配置された壁部とにより構成される。
本発明によれば、連通部が、貫通穴と、ケース内部において貫通穴と重なるように配置された壁部とにより構成されるため、貫通穴から集音装置にインクが付着することをより確実に抑制できる。
【０００７】
また、本発明は、前記凹部内には、前記凹部と前記凹部に挿入された前記集音装置との間に生じる隙間を塞ぐ塞ぎ部材が設けられる。
本発明によれば、塞ぎ部材により集音装置が装置の内部音以外を集音することを抑制できるため、精度よく集音装置に装置の内部音を集音させることができる。
【０００８】
また、本発明は、前記凹部の底部には、振動緩衝部材が配置され、前記集音装置を前記振動緩衝部材に押し付ける押付部材が、前記ケースに配置される。
本発明によれば、振動緩衝部材と押付部材により集音装置が振動することを抑制できるため、集音装置が集音する内部音に振動に起因したノイズが重畳することを抑制でき、精度よく集音装置に装置の内部音を集音させることができる。
【０００９】
また、本発明は、前記ケースに、複数の前記凹部を有し、前記凹部は、前記ケースの幅方向において前記ケースの中央部より端部側に形成される。
本発明によれば、端部側に複数の凹部を備えるため、複数の箇所で装置の端部側の内部音を集音装置に集音させることができる。
【００１０】
また、本発明は、前記凹部を形成する形成部材は、前記ケースに対して着脱可能に構成される。
本発明によれば、形成部材がケースに対して着脱可能に構成されるため、ユーザーが、内部音の集音を望む場合に、集音装置を挿入可能な凹部を設定できる。
【００１１】
また、上記課題を解決するために、本発明の印刷装置は、印刷機構と、前記印刷機構を覆うケースと、前記ケースに、外部から集音装置を挿入可能な、前記ケースの内部と連通する空間を形成する凹部と、前記凹部内の空間と前記ケース内の空間とを屈曲を介して接続する連通部と、を備える。
本発明によれば、凹部内の空間とケース内の空間とを屈曲を介して接続する連通部を備えるため、集音装置にインクが付着することを抑制した上で、集音装置に装置の内部音を集音させることができる。
【図面の簡単な説明】
【００１２】
【図１】情報処理システムの構成を示す図。
【図２】プリンターの概略斜視図。
【図３】集音装置設置部の要部構成を示す断面図。
【図４】壁部形成部材の配置を模式的に示す図。
【図５】変形例に係る集音装置設置部の要部構成を示す断面図。
【図６】変形例に係るプリンターの概略斜視図。
【図７】情報処理システムが備える各装置の機能的構成を示すブロック図。
【図８】情報処理システムが備える各装置の動作を示すフローチャート。
【発明を実施するための形態】
【００１３】
図１は、情報処理システム１００の構成を示す図である。
【００１４】
図１に示すように、情報処理システム１００は、印刷システム２００と、サーバー３００とを備える。
【００１５】
印刷システム２００は、例えば、印刷会社等により利用され、プリンター１（印刷装置、駆動装置）により印刷を実行する機能を有する。図１に示すように、印刷システム２００は、プリンター１と、タブレット端末８０（集音装置）と、通信装置９０とを備える。
【００１６】
プリンター１は、インクをインクジェット式で噴射することにより文字や画像等を印刷する装置であり、比較的大型の印刷媒体に対して印刷を実行するラージフォーマットプリンター（ＬＦＰ）である。プリンター１は、図示せぬＲＩＰ（Raster image Processor）装置が生成した印刷データを受信し、受信した印刷データに基づいて印刷媒体Ｍに印刷を実行する。
【００１７】
印刷媒体Ｍとしては、例えば、上質紙や、キャスト紙、アート紙、コート紙、合成紙、ＰＥＴ（Polyethylene terephthalate）やＰＰ（Polypropylene）等から成るフィルム、布帛等の媒体を採用できる。また、印刷媒体Ｍとしては、例えば最大７３インチの幅を有する媒体を採用できる。
【００１８】
なお、ＲＩＰ装置とは、プリンター１が印刷に使用する色（例えば、シアン（Ｃ）、マゼンタ（Ｍ）、イエロー（Ｙ）、ブラック（Ｋ））毎の、ビットマップ展開された印刷データの生成を専門的に実行する装置である。ＲＩＰ装置は、図示せぬホストコンピューターから受信した画像データに基づいて、印刷データを生成する。例えば、ＲＩＰ装置は、印刷会社で用いられる業務用の高画質且つ大型のプリンター１に印刷を実行させるための印刷データを生成する。
【００１９】
タブレット端末８０は、前面８０ａ（図３参照）の広い領域に、ユーザーのタッチ操作を検出するタッチパネルであるタブレットタッチパネル８４が設けられたタブレット型の（板状の）端末装置である。本実施形態のタブレット端末８０は、プリンター１の外部に設置され、プリンター１の内部の音（以下、「内部音」）を集音する集音装置として機能する。本実施形態では、内部音は、プリンター１の本体ケース５０（後述）（ケース）内の音であり、印刷機構６０（後述）の動作音に相当する。なお、タブレット端末８０は、印刷システム２００において、上述した画像データをＲＩＰ装置に送信するホストコンピューターとして機能してもよい。
【００２０】
図１に示すように、プリンター１、及び、タブレット端末８０とは、ローカルネットワークＬＮに接続する。プリンター１、及び、タブレット端末８０とは、ローカルネットワークＬＮを介して互いに通信可能である。なお、プリンター１、及び、タブレット端末８０とは、所定の近距離無線通信規格に従って、互いに通信する構成でもよい。
【００２１】
ローカルネットワークＬＮには、プリンター１、及び、タブレット端末８０の他に、グローバルネットワークＧＮに接続する通信装置９０が接続する。
【００２２】
通信装置９０は、ローカルネットワークＬＮと、グローバルネットワークＧＮとを接続するインターフェース装置である。通信装置９０は、モデム（又は、ＯＮＵ（Optical Network Unit））としての機能、ルーター機能、ＮＡＴ（Network Address Translation）機能、及び、ＤＨＣＰ（Dynamic Host Configuration Protocol）サーバー機能等を有する。通信装置９０は、ローカルネットワークＬＮに接続された機器と、グローバルネットワークＧＮに接続された機器との間で行われる通信に際し、機器間で送受信されるデータを転送する。なお、図１では、通信装置９０を１つのブロックで表現するが、通信装置９０は、機能に応じた複数の装置を有する構成でもよい。
本実施形態では、少なくともタブレット端末８０は、通信装置９０を介して、グローバルネットワークＧＮにアクセス可能である。
【００２３】
グローバルネットワークＧＮには、サーバー３００が接続される。サーバー３００は、少なくともタブレット端末８０と通信可能なサーバー装置である。すなわち、サーバー３００は、タブレット端末８０をクライアントとし、このクライアントからの要求等をトリガーとして、所定の演算処理を実行する。サーバー３００は、必要に応じて、演算処理の結果に基づくデータを、クライアントに送信する。なお、図１では、サーバー３００を、１つのブロックによって表現するが、これはサーバー３００が単一のサーバー装置により構成されることを意味するものではない。例えば、サーバー３００は、複数のサーバー装置を含んで構成されたものでもよい。すなわち、サーバー３００は、後述する各種処理を実行可能な構成であれば、その形態を問わない。
【００２４】
図２は、プリンター１の正面側を示す概略斜視図である。
【００２５】
特に、図２は、プリンター１にタブレット端末８０が配置される場合における、プリンター１の概略斜視図を示す。
【００２６】
図２において、Ｘ方向は、キャリッジ２２が走査する走査方向を示し、また、プリンター１の幅方向を示す。Ｘ方向のうち＋Ｘ方向は、プリンター１を正面視した場合の左方向を示し、−Ｘ方向は、プリンター１を正面視した場合の右方向を示す。また、図１において、Ｙ方向は、プリンター１の前後方向を示す。Ｙ方向のうち−Ｙ方向は、プリンター１の前方向を示し、Ｙ方向のうち＋Ｙ方向は、プリンター１の後方向を示す。なお、プリンター１の正面側とは前方向側に相当する。さらに、−Ｙ方向は、印刷媒体Ｍに対して印刷が実行される際の印刷媒体Ｍの搬送方向を示す。また、図２において、Ｚ方向は、プリンター１の上下方向を示す。Ｚ方向のうち＋Ｚ方向は、プリンター１の上方向を示し、Ｚ方向のうち−Ｚ方向は、プリンター１の下方向、及び、プリンター１を設置した際の重力方向を示す。
【００２７】
図２に示すように、プリンター１は、プリンター本体２と、脚部３とを備える。プリンター１は、プリンター本体２に対して脚部３が取り付けられる。なお、脚部３は、プリンター本体２に対して取り外し可能に構成されてもよい。
【００２８】
脚部３は、移動用のコロ３１を有する２本の支持柱３２を備える。なお、脚部３は、この２本の支持柱３２の間に掛け渡される補強棒（不図示）も備えていてもよい。支持柱３２の上側には、プリンター本体２がネジ等の固定部材により固定される。支持柱３２の間には、例えば排紙口４０（後述）から排紙される印刷媒体Ｍを受ける装置が配置可能に所定のスペースが設けられる。
【００２９】
プリンター本体２は、上側本体２ａと下側本体２ｂとを備える。プリンター１の前面には、上側本体２ａと下側本体２ｂとの間にＸ方向に沿って延びる排紙口４０が形成される。排紙口４０からは、印刷媒体Ｍを支持するプラテン４１が前方に突出している。排紙口４０は、プリンター１により文字や画像等が印刷された印刷媒体Ｍをプラテン４１で支持しつつ、プリンター１の外部に排紙する。
【００３０】
プリンター本体２のうち下側本体２ａは、内部に、商用交流電源と接続しプリンター１の各部に電力を供給する基板や、後述する印刷機構６０を制御する基板等が設けられる。
【００３１】
プリンター本体２のうち上側本体２ａは、上側本体２ａの内部に設けられる印刷機構６０（駆動機構）を覆う本体ケース５０を備える。印刷機構６０は、後述する印刷部２０や、キャリッジ２２を駆動するキャリッジ駆動モーター、キャリッジ駆動ローラーの動力をキャリッジ２２に伝達するギアやカム等により構成される動力伝達機構、印刷媒体Ｍを搬送する搬送モーター、プラテン４１に配置される搬送ベルト、搬送ベルトを駆動する駆動ローラー、搬送モーターの動力を駆動ローラーに伝達するギアやカム等により構成される動力伝達機構等の印刷に係る機構である。
【００３２】
印刷部２０は、インクジェットヘッド２１、キャリッジ２２、及び、ガイド軸２３を備える。キャリッジ２２は、インクを吐出するインクジェットヘッド２１を複数搭載し、ガイド軸２３が延びる方向（すなわち、キャリッジ２２の走査方向）に案内されて往復移動する。インクジェットヘッド２１は、図示せぬインク貯留部が貯留するインクを吐出可能な、複数のノズルを有する。インクジェットヘッド２１は、例えばシアン（Ｃ）、マゼンタ（Ｍ）、イエロー（Ｙ）、及び、ブラック（Ｋ）の各色のインクを、インク貯留部から供給され、搬送方向に搬送される印刷媒体Ｍの印刷面に吐出する。
【００３３】
図２に示すように、本体ケース５０（ケース）は、右側ケース５０ａ、カバーケース５０ｂ、及び、左側ケース５０ｃにより構成される。
【００３４】
右側ケース５０ａは、プリンター１の幅方向（すなわち、Ｘ方向）において、カバーケース５０ｂ、及び、左側ケース５０ｃよりも右側に設けられる。カバーケース５０ｂは、プリンター１の幅方向（すなわち、Ｘ方向）において、右側ケース５０ａより左側であって、且つ、左側ケース５０ｃより右側に設けられる。カバーケース５０ｂは、プリンター１の上方向に押し上げられることにより開状態となり、印刷機構６０（特に、印刷部２０）を露出させ、プリンター１の下方向に押し下げられることにより閉状態になり、印刷機構６０（特に、印刷部２０）を覆う。左側ケース５０ｃは、プリンター１の幅方向（すなわち、Ｘ方向）において、右側ケース５０ａ、及び、カバーケース５０ｂよりも左側に設けられる。
【００３５】
上側本体２ａが備える本体ケース５０には、プリンター１の前方向に向かうにつれて下り傾斜する傾斜部７０が形成される。以下の説明において、右側ケース５０ａに形成される傾斜部７０を、右側傾斜部７０ａと表現し、カバーケース５０ｂに形成される傾斜部７０を、カバー傾斜部７０ｂと表現し、左側ケース５０ｃに形成される傾斜部７０を左側傾斜部７０ｃと表現する。
【００３６】
右側ケース５０ａの右側傾斜部７０ａには、ユーザーの接触操作を受け付けるタッチパネルであるプリンタータッチパネル１２が設けられる。また、右側ケース５０ａの右側傾斜部７０ａには、プリンター１の幅方向において、プリンタータッチパネル１２の右側に、集音装置設置部５００を備える。図２では、集音装置設置部５００にタブレット端末８０が取り付けられている態様を図示している。
【００３７】
図３は、集音装置設置部５００の要部構成を示す断面図である。図３では、凹部４００（後述）内にタブレット端末８０が挿入されている態様を図示している。特に、図３は、タブレット端末８０が備えるマイク８６１が凹部４００内に位置するようにタブレット端末８０が挿入されている態様を図示している。
【００３８】
図３において、Ｘ方向、Ｙ方向、及び、Ｚ方向は、図２に示す各方向と同じ方向である。なお、図３では、紙面奥側に向かう方向が＋Ｘ方向であり、紙面手前側に向かう方向が−Ｘ方向である。また、図３の説明において、プリンター１の外部と表現する場合、右側傾斜部７０ａより−Ｙ方向の側を示し、プリンター１の内部と表現する場合、右側傾斜部７０ａより＋Ｙ方向の側を示す。なお、プリンター１の外部とは、本体ケース５０（右側ケース５０ａを含む）の外部に相当し、プリンター１の内部とは、本体ケース５０の内部に相当する。
【００３９】
以下の説明では、右側傾斜部７０ａにおいて、プリンター１の外部側の面を右側傾斜外部面７０１と表現し、プリンター１の内部側の面を右側傾斜内部面７０２と表現する。
【００４０】
図３に示すように、集音装置設置部５００は、右側傾斜部７０ａが延びる方向に沿ってプリンター１の外部に形成され、−Ｚ方向（より詳細には前下方）に凹む凹部４００を備える。
【００４１】
凹部４００は、凹部形成部材４３０により形成される。図３に示すように、凹部形成部材４３０の断面は、Ｘ方向から見てＬ字状に形成される。凹部形成部材４３０は、凹部４００の底部４２０を形成する底部形成部材４２０ａと、凹部４００の壁部４１０を形成する壁部形成部材４１０ａとを有する。底部形成部材４２０ａは、貫通穴６１０より−Ｚ方向側で、且つ、プリンター１の外部において、右側傾斜部７０ａが延びる方向と交差（本実施形態では直交）する方向に立つように右側傾斜外部面７０１に取り付けられる。これにより、壁部形成部材４１０ａは、プリンター１の外部において、右側傾斜部７０ａが延びる方向に沿うように、底部形成部材４２０ａを介して右側傾斜外部面７０１に取り付けられる。なお、凹部形成部材４３０は、Ｘ方向の両端部において壁部を形成する部材をさらに備えており、これにより、凹部４００は、Ｘ方向、Ｙ方向が開放せず、後上方向が開放するような凹みを有する。
【００４２】
図３に示すように、凹部形成部材４３０が右側傾斜外部面７０１に取り付けられるため、プリンター１の外部に形成される凹部４００は、−Ｚ方向に凹む。また、凹部４００の内部は、右側傾斜部７０ａが延びる方向に沿って後上方に延びる空間を形成する。より詳細には、凹部４００の内部は、貫通穴６１０より後上方に延びる空間を形成する。
【００４３】
凹部４００内の空間は、集音装置設置部５００が備える連通部６００を介してプリンター１の内部の空間と連通する。連通部６００は、右側傾斜部７０ａに形成されプリンター１の外部とプリンター１の内部とを貫通する貫通穴６１０を備える。右側傾斜部７０ａを正面視した際の貫通穴６１０の形状は、丸形でも四角形でもいずれの形状でよい。
【００４４】
連通部６００は、右側傾斜部７０ａが延びる方向に沿ってプリンター１の内部に形成され、＋Ｚ方向（より詳細には後上方）に凹む凹部６２０を備える。
【００４５】
凹部６２０は、凹部形成部材６５０により形成される。図３に示すように、凹部形成部材６５０の断面は、Ｘ方向から見てＬ字状に形成される。凹部形成部材６５０は、凹部６２０の頂部６４０を形成する頂部形成部材６４０ａと、凹部６２０の壁部６３０を形成する壁部形成部材６３０ａとを有する。頂部形成部材６４０ａは、貫通穴６１０より＋Ｚ方向側で、且つ、プリンター１の内部において、右側傾斜部７０ａが延びる方向と交差（本実施形態では直交）する方向に立つように、右側傾斜内部面７０２に取り付けられる。これにより、壁部形成部材６３０ａは、プリンター１の内部において、右側傾斜部７０ａが延びる方向に沿うように、且つ、矢印Ｖが示す方向において貫通穴６１０と重なるように、頂部形成部材６４０ａを介して右側傾斜内部面７０２に取り付けられる。なお、凹部形成部材６５０は、Ｘ方向の両端部において壁部を形成する部材をさらに備えており、これにより、凹部６２０は、Ｘ方向、Ｙ方向が開放せず、前下方が開放する凹みを有する。
【００４６】
図３に示すように、凹部形成部材６５０が右側傾斜内部面７０２に取り付けられるため、プリンター１の内部に形成される凹部６２０の内部は、＋Ｚ方向に凹む。また、凹部６２０の内部は、右側傾斜部７０ａが延びる方向に沿って前下方に延びる空間を形成する。より詳細には、凹部６２０の内部は、貫通穴６１０より前下方に延びる空間を形成する。
【００４７】
このように、連通部６００は、凹部４００内の空間と右側ケース５０ａの内部の空間とを、凹部６２０により屈曲して連続させる。より詳細には、連通部６００は、凹部６２０により貫通穴６１０より下方に延びる空間を右側ケース５０ａの内部に形成し、凹部４００内の空間と右側ケース５０ａの内部の空間とを屈曲して連通させる。
【００４８】
これにより、プリンター１は、タブレット端末８０を凹部４００に挿入することで、貫通穴６１０、及び、凹部６２０の空間を介してプリンター１の内部音、すなわち、本体ケース５０の内部音（図３では右側ケース５０ａの内部音）を集音することができる。また、連通部６００は、プリンター１の内部において凹部４００内の空間とプリンター１の内の空間とを屈曲して連続する空間を構成するため、プリンター１の内部に発生したインクのミスト等の浮遊物が貫通穴６１０を介してタブレット端末８０に付着することを抑制できる。したがって、プリンター１は、タブレット端末８０にインクのミスト等の浮遊物により影響を与えることを抑制した上で、タブレット端末８０によりプリンター１の内部音を集音させることができる。
【００４９】
図４は、壁部形成部材６３０ａの配置を、図３の矢印Ｖが示す方向に向かって見た様子を、説明に適した態様で模式的に示す図である。図３の矢印Ｖが示す方向とは、プリンター１の内部から外部に向かう方向であり、且つ、凹部形成部材６５０を見上げる方向である。図４において、Ｘ方向は、図２に示す各方向と同じ方向である。
【００５０】
図４では、貫通穴６１０の形状を丸形としている。壁部形成部材６３０ａは、矢印Ｖが示す方向に向かって見た際に、右側傾斜内部面７０２に形成される貫通穴６１０と重なるように、図３に示すようにプリンター１の内部に配置される。ここで、壁部形成部材６３０ａは、少なくとも貫通穴６１０の面積よりも大きい面積を有する部材であることが好ましく、図４に示すように矢印Ｖが示す方向に向かって見た際、貫通穴６１０と完全に重なるように配置されることが好ましい。
【００５１】
このように、連通部６００は、プリンター１の内部において貫通穴６１０と重なるように配置された壁部形成部材６３０ａを有するため、壁部形成部材６３０ａが貫通穴６１０への浮遊物の進入を抑制する壁として機能し、タブレット端末８０にインクのミスト等の浮遊物が付着することをより確実に抑制できる。つまり、連通部６００は、タブレット端末８０に影響を与えることをより確実に抑制できる。
【００５２】
図３に示すように、凹部４００内には、凹部４００と凹部４００に挿入されたタブレット端末８０との間に生じる隙間を塞ぐ塞ぎ部材７００が設けられる。より詳細には、塞ぎ部材７００は、凹部形成部材４３０の壁部形成部材４１０ａに配置される塞ぎ部材７００ａと、右側傾斜外部面７０１に配置される塞ぎ部材７００ｂとを備える。
【００５３】
塞ぎ部材７００ａは、例えばゴム等の弾力性がある部材により形成され、壁部形成部材４１０ａにおいて右側傾斜部７０ａと対向する位置に設けられる。塞ぎ部材７００ａは、少なくともＸ方向に、タブレット端末８０のＸ方向における長さより長く形成される。凹部４００にタブレット端末８０が挿入されると、塞ぎ部材７００ａは、タブレット端末８０の前面８０ａ（本実施形態では、タブレットタッチパネル８４が設けられる広い領域を有する面）と接する。
【００５４】
塞ぎ部材７００ｂは、塞ぎ部材７００ａと同様、例えばゴム等の部材により形成され、右側傾斜外部面７０１に設けられる。塞ぎ部材７００ｂは、少なくともＸ方向に、タブレット端末８０のＸ方向における長さより長く形成される。凹部４００にタブレット端末８０が挿入されると、塞ぎ部材７００ｂは、タブレット端末８０の背面８０ｂ（本実施形態では、タブレットタッチパネル８４が設けられる広い領域を有する面と逆の面）と接する。
【００５５】
なお、塞ぎ部材７００は、凹部形成部材４３０のＸ方向の両端部において壁部を形成する部材に設けられる塞ぎ部材を含み、当該塞ぎ部材と塞ぎ部材７００ａと塞ぎ部材７００ｂとにより構成されることが好ましい。つまり、塞ぎ部材７００は、凹部４００内の全周を覆うように構成されることが好ましい。
【００５６】
図３に示すように、塞ぎ部材７００は、凹部４００にタブレット端末８０が挿入された際、塞ぎ部材７００ａとタブレット端末８０の背面８０ｂとが接することにより、凹部４００の上方において、タブレット端末８０の背面８０ｂと右側傾斜部７０ａのプリンター１の外部側の面とに生じる隙間が塞がれる。また、図３に示すように、塞ぎ部材７００は、凹部４００にタブレット端末８０が挿入された際、塞ぎ部材７００ｂとタブレット端末８０の前面８０ａとが接することにより、凹部４００の上方において、タブレット端末８０の前面８０ａと壁部形成部材４１０ａとの間に生じる隙間が塞がれる。これにより、プリンター１は、タブレット端末８０にプリンター１の内部音以外の音を集音することを抑制でき、精度よくタブレット端末８０にプリンター１の内部音を集音させることができる。
【００５７】
また、塞ぎ部材７００は、後述する振動緩衝部材８００と押付部材９００と合わせて、凹部４００に挿入されたタブレット端末８０が凹部４００内で振動することをさらに抑制できる。したがって、プリンター１は、タブレット端末８０が集音するプリンター１の内部音に当該振動に起因したノイズが重畳することを抑制でき、タブレット端末８０にプリンター１の内部音を精度よく集音させることができる。
【００５８】
図３に示すように、凹部４００の底部４２０には、ゴム等により構成される振動緩衝部材８００が配置される。より詳細には、振動緩衝部材８００は、底部４２０を形成する底部形成部材４２０ａのうち、図３に示すように凹部形成部材４３０が右側傾斜部７０ａに取り付けられた場合に上方に向く面において、当該面の全て覆うように配置される。
【００５９】
また、図３に示すように、集音装置設置部５００は、右側傾斜部７０ａにおいて、凹部４００の上方、且つ、プリンター１の外部に配置される押付部材９００を備える。押付部材９００は、右側傾斜部７０ａが傾斜する方向に延びるネジ軸９１０と、ネジ軸９１０の上端に設けられるナット９２０、ネジ軸９１０の下端に設けられる接触部材９３０と、ネジ軸９１０が貫通するネジ孔９４０を備え押付部材９００を右側傾斜外部面７０１に固定する固定部材９５０とを備える。
【００６０】
押付部材９００は、ナット９２０が所定の方向に回転すると、接触部材９３０が前下方に移動する。これに伴って、押付部材９００は、凹部４００に挿入されたタブレット端末８０を、接触部材９３０の前下方の移動により、振動緩衝部材８００に押し付ける。なお、接触部材９３０のタブレット端末８０に接触する面は、剛性の素材よりゴム等の軟性の素材であることが好ましい。
【００６１】
このように、プリンター１は、凹部４００の底部４２０に振動緩衝部材８００を配置し、タブレット端末８０を振動緩衝部材８００に押し付ける押付部材９００を備えることで、凹部４００に挿入されたタブレット端末８０が、凹部４００内で振動することを抑制できる。したがって、プリンター１は、タブレット端末８０が集音するプリンター１の内部音に当該振動に起因したノイズが重畳することを抑制でき、タブレット端末８０にプリンター１の内部音を精度よく集音させることができる。
【００６２】
なお、凹部形成部材４３０は、右側傾斜部７０ａに対して着脱可能に構成される。例えば、本体ケース５０に凹部形成部材４３０を取り付けるための嵌合孔があり、凹部形成部材４３０は、当該嵌合孔と嵌合する凸部を、本体ケース５０に取り付けられる際に接する箇所に備える。このように、凹部形成部材４３０が本体ケース５０に対して着脱可能に構成することにより、ユーザーが、プリンター１の内部音の集音を望む場合において、タブレット端末８０を挿入可能な凹部４００を設定できる。換言すると、ユーザーが内部音の集音を望まない場合には、凹部４００の設定を解消できる。そのため、プリンター１の内部音を集音しない場合には、プリンター１の筐体から凹部形成部材４３０が突出しないように設定でき、プリンター１の筐体をシンプルにできる。
【００６３】
つぎに、連通部６００の変形例について説明する。
図５は、連通部６００の変形例を示す集音装置設置部５００の断面図である。
図５に示すＸ方向、Ｙ方向、及び、Ｚ方向は、図３に示す各方向と同じ方向である。
【００６４】
図３と図５とを比較して明らかな通り、変形例に係る連通部６００ｂは、右側傾斜部７０ａが延びる方向に沿ってプリンター１の内部に形成され、−Ｚ方向（より詳細には前下方）に凹む凹部６２０ｂを備える。
【００６５】
凹部６２０ｂは、凹部形成部材６５０ｂにより形成される。凹部形成部材６５０ｂの断面は、Ｘ方向から見てＬ字状に形成される。凹部形成部材６５０ｂは、凹部６２０ｂの底部６４０ｂを形成する底部形成部材６４０ｂａと、凹部６２０ｂの壁部６３０ｂを形成する壁部形成部材６３０ｂａとを有する。底部形成部材６４０ｂａは、貫通穴６１０より−Ｚ方向側で、且つ、プリンター１の内部において、右側傾斜部７０ａが延びる方向と交差（本実施形態では直交）する方向に立つように、右側傾斜内部面７０２に取り付けられる。これにより、壁部形成部材６３０ｂａは、プリンター１の内部において、右側傾斜部７０ａが延びる方向に沿うように、且つ、矢印Ｖが示す方向において貫通穴６１０と重なるように、底部形成部材６４０ｂａを介して右側傾斜内部面７０２に取り付けられる。なお、凹部形成部材６５０ｂは、Ｘ方向の両端部において壁部を形成する部材をさらに備えており、これにより、凹部６２０ｂは、Ｘ方向、Ｙ方向が開放せず、後上方が開放するような凹みを有する。
【００６６】
図５に示すように、凹部形成部材６５０ｂが右側傾斜内部面７０２に取り付けられるため、プリンター１の内部に形成される凹部６２０ｂは、−Ｚ方向に凹む。また、凹部６２０ｂは、右側傾斜部７０ａが延びる方向に沿って後上方に延びる空間を形成する。より詳細には、凹部６２０ｂの内部は、貫通穴６１０より後上方に延びる空間を形成する。
【００６７】
図５に示すように、連通部６００ｂが図３に示す凹部６２０と逆の方向に凹む凹部６２０ｂを有する場合でも、上述した効果と同様の効果を奏する。
【００６８】
さらに、プリンター１の変形例について説明する。
図６は、変形例に係るプリンター１の概略斜視図である。
【００６９】
図２と図６とを比較して明らかな通り、変形例に係るプリンター１は、プリンター１の幅方向（すなわち、Ｘ方向）において本体ケース５０の中央部ＴＢより端部側に、集音装置設置部５００が複数設けられる。つまり、変形例に係るプリンター１は、本体ケース５０の中央部ＴＢより端部側に、凹部４００が複数形成される。端部側とは、図６に示すプリンター１の場合、左側ケース５０ｃ、又は、右側ケース５０ａが配置される側である。
【００７０】
図６に示す変形例に係るプリンター１は、左側ケース５０ｃの左側傾斜部７０ｃと、右側ケース５０ａの右側傾斜部７０ａと、右側ケース５０ａにおいて右側端部の側壁とのそれぞれに集音装置設置部５００が設けられる。
【００７１】
このように、変形例に係るプリンター１は、複数箇所に集音装置設置部５００が設けられることで、プリンター１の内部音を、複数箇所でタブレット端末８０に集音させることができる。特に、集音装置設置部５００は、プリンター１の幅方向において中央部ＴＢより端部側に設けられる。前述した通り、プリンター１は、印刷機構６０として、印刷部２０や、キャリッジ２２を駆動するキャリッジ駆動モーター、キャリッジ駆動ローラーの動力をキャリッジ２２に伝達するギアやカム等により構成される動力伝達機構、印刷媒体Ｍを搬送する搬送モーター、プラテン４１に配置される搬送ベルト、搬送ベルトを駆動する駆動ローラー、搬送モーターの動力を駆動ローラーに伝達するギアやカム等により構成される動力伝達機構等の印刷に係る機構を備える。プリンター１は、キャリッジ２２をＸ方向に走査させて印刷を実行するシリアル型のプリンターである。そのため、プリンター１は、Ｘ方向の中央部ＴＢ付近に、キャリッジ２２が走査する領域が設けられ、Ｘ方向において中央部ＴＢより端部側に、キャリッジ２２を駆動するキャリッジ駆動モーターや、キャリッジ駆動ローラーの動力をキャリッジ２２に伝達するギアやカム等により構成される動力伝達機構、印刷媒体Ｍを搬送する搬送モーター、搬送モーターの動力を伝達する動力伝達機構等が配置されることが多い。そこで、プリンター１は、プリンター１の幅方向において中央部ＴＢより端部側に集音装置設置部５００を複数設けることで、複数箇所で、モーター、及び、モーターの動力伝達機構が発する音をプリンター１の内部音としてタブレット端末８０に集音させることができる。
【００７２】
次に、情報処理システム１００が備える各装置の機能的構成について説明する。
図７は、情報処理システム１００が備える各装置の機能的構成を示すブロック図である。
【００７３】
図７に示すように、プリンター１は、プリンター制御部１０と、プリンター記憶部１１と、プリンタータッチパネル１２と、プリンターネットワーク通信部１３と、印刷機構部１４と、プリンター通信部１５とを備える。
【００７４】
プリンター制御部１０は、ＣＰＵや、ＲＯＭ、ＲＡＭ、ＡＳＩＣ、信号処理回路等を備え、プリンター１の各部を制御する。プリンター制御部１０は、例えばＣＰＵが、ＲＯＭに記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
【００７５】
プリンター記憶部１１は、不揮発性メモリーを備え、各種データを記憶する。また、プリンター記憶部１１は、ログファイル１１ａと、対応アプリケーション（以下、「対応アプリ」と表現する）１１ｂとを記憶する。ログファイル１１ａは、プリンター１に発生した事象を示す情報を時系列で記録したファイルである。対応アプリ１１ｂは、タブレット端末８０にインストールされた解析アプリケーション（以下「解析アプリ」と表現する）８２ａ（後述）に対応するアプリケーションである。対応アプリ１１ｂの機能については、後述する。
【００７６】
プリンタータッチパネル１２は、液晶表示パネル等の表示パネルと、表示パネルに重ねて、或いは一体に設けられたタッチセンサーとを備える。表示パネルは、プリンター制御部１０の制御で、各種画像を表示する。タッチセンサーは、ユーザーのタッチ操作を検出し、プリンター制御部１０に出力する。プリンター制御部１０は、タッチセンサーからの入力に基づいて、タッチ操作に対応する処理を実行する。
【００７７】
プリンターネットワーク通信部１３は、プリンター制御部１０の制御で、グローバルネットワークＧＮと接続する機器（サーバー３００を含む）と所定の通信規格に従って通信する。プリンターネットワーク通信部１３が通信に用いる通信規格は、ＨＴＴＰや、ＷｅｂＳｏｃｋｅｔ等、どのような規格でもよい。
【００７８】
印刷機構部１４は、印刷機構６０として、印刷部２０、キャリッジ２２を駆動するキャリッジ駆動モーター、キャリッジ駆動ローラーの動力をキャリッジ２２に伝達するギアやカム等により構成される動力伝達機構、印刷媒体Ｍを搬送する搬送モーター、プラテン４１に配置される搬送ベルト、搬送ベルトを駆動する駆動ローラー、搬送モーターの動力を駆動ローラーに伝達するギアやカム等により構成される動力伝達機構等の印刷に係る機構を備える。印刷機構部１４は、プリンター制御部１０の制御で、印刷媒体Ｍの搬送に係る機構により印刷媒体Ｍを搬送し、印刷部２０により印刷媒体Ｍにインクを吐出して文字や画像等を印刷する。
【００７９】
プリンター通信部１５は、プリンター制御部１０の制御で、タブレット端末８０と所定の通信規格に従って通信する。本実施形態では、プリンター通信部１５は、タブレット端末８０と所定の無線通信規格に従って通信する。タブレット端末８０と＠プリンター１との間で行われる通信の無線通信規格は、アドホックモードに対応する無線ＬＡＮに係る規格や、インフラストラクチャーモードに対応する無線ＬＡＮに係る規格、Bluetooth（登録商標）等の近距離無線通信に係る規格等、どのような規格でもよい。
【００８０】
図７に示すように、タブレット端末８０は、タブレット制御部８１と、タブレット記憶部８２と、タブレットネットワーク通信部８３と、タブレットタッチパネル８４と、タブレット通信部８５と、集音部８６とを備える。
【００８１】
タブレット制御部８１は、ＣＰＵや、ＲＯＭ、ＲＡＭ、ＡＳＩＣ、信号処理回路等を備え、タブレット端末８０の各部を制御する。タブレット制御部８１は、例えばＣＰＵが、ＲＯＭに記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
【００８２】
タブレット記憶部８２は、不揮発性メモリーを備え、各種データを記憶する。また、タブレット記憶部８２は、解析アプリ８２ａを記憶する。解析アプリ８２ａは、サーバー７が提供する内部音解析システムを利用するためのアプリケーションである。内部音解析システムとは、プリンター１の内部音を集音部８６により集音し、集音した内部音を解析するシステムである。解析アプリ８２ａの機能については、後述する。
【００８３】
タブレットネットワーク通信部８３は、タブレット制御部８１の制御で、グローバルネットワークＧＮと接続する機器（サーバー３００を含む）と所定の通信規格に従って通信する。タブレットネットワーク通信部８３が通信に用いる通信規格は、ＨＴＴＰや、ＷｅｂＳｏｃｋｅｔ等、どのような規格でもよい。
【００８４】
タブレットタッチパネル８４は、液晶表示パネル等の表示パネルと、表示パネルに重ねて、或いは一体に設けられたタッチセンサーとを備える。表示パネルは、タブレット制御部８１の制御で、各種画像を表示する。タッチセンサーは、タッチ操作を検出し、タブレット制御部８１に出力する。タブレット制御部８１は、タッチセンサーからの入力に基づいて、タッチ操作に対応する処理を実行する。
【００８５】
タブレット通信部８５は、タブレット制御部８１の制御で、所定の通信の規格に従って、プリンター１と通信する。本実施形態のタブレット通信部８５は、所定の無線通信の規格に従って、プリンター１と通信する。タブレット端末８０とプリンター１との間で行われる通信の無線通信規格は、アドホックモードに対応する無線ＬＡＮに係る規格や、インフラストラクチャーモードに対応する無線ＬＡＮに係る規格、Bluetooth等の近距離無線通信に係る規格等、どのような規格でもよい。
【００８６】
集音部８６は、マイク８６１を備え、音声（プリンター１の内部音を含む）をマイク８６１によって集音し、集音した音声に基づいて音声データを生成し、生成した音声データをタブレット制御部８１に出力する。
【００８７】
図７に示すように、サーバー３００は、サーバー制御部３１０と、サーバー記憶部３２０と、サーバー表示部３３０と、サーバー入力部３４０と、サーバーネットワーク通信部３５０とを備える。
【００８８】
サーバー制御部３１０は、ＣＰＵや、ＲＯＭ、ＲＡＭ、ＡＳＩＣ、信号処理回路等を備え、サーバー３００の各部を制御する。サーバー制御部３１０は、例えばＣＰＵが、ＲＯＭに記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
【００８９】
サーバー記憶部３２０は、不揮発性メモリーを備え、各種データを記憶する。サーバー記憶部３２０は、内部音解析システムで利用する解析データ３２０ａを記憶する。解析データ３２０ａは、例えば、プリンター１の動作の種類を示す動作種類情報と、動作種類情報が示す種類の動作を実行している際におけるプリンター１の正常な内部音を示す音声データとが対応付くデータである。正常な内部音とは、印刷機構６０に不具合がない場合の内部音である。
【００９０】
サーバー表示部３３０は、表示パネルを備え、サーバー制御部３１０の制御で、表示パネルに各種情報を表示する。
【００９１】
サーバー入力部３４０は、キーボード、マウス、その他の入力手段を備え、入力手段に対するユーザーの操作を検出し、サーバー制御部３１０に出力する。サーバー制御部３１０は、サーバー入力部３４０からの入力に基づいて、入力手段に対するユーザーの操作に対応する処理を実行する。
【００９２】
サーバーネットワーク通信部３５０は、サーバー制御部３１０の制御で、グローバルネットワークＧＮと接続する機器（プリンター１を含む）と所定の通信規格に従って通信する。サーバーネットワーク通信部３５０が通信に用いる通信規格は、ＨＴＴＰや、ＷｅｂＳｏｃｋｅｔ等、どのような規格でもよい。
【００９３】
一般に、プリンター１は、経年劣化等により印刷機構６０に不具合が発生すると、少なくとも印刷動作を停止するように構成される。しかしながら、プリンター１には、停止させたくないとするニーズがある。このニーズが発生する態様の一例としては、プリンター１が印刷会社により利用され、終業から始業まで夜間運転で印刷を実行する場合が挙げられる。この場合に、印刷機構６０が経年劣化等により不具合が発生し印刷動作が停止すると、夜間運転明けの始業時には、印刷が完了していないといった事態が発生する。
【００９４】
そこで、本実施形態の情報処理システム１００は、タブレット端末８０によりプリンター１の内部音を集音することでプリンター１の状態を監視し、事前に不具合が発生し得る印刷機構６０をユーザーに報知する。事前にユーザーに報知することで、印刷動作が停止する前に、ユーザーが、当該印刷機構６０に対して対処を行える蓋然性が高まり、上述したニーズに応えることができる。
【００９５】
以下に、本実施形態の情報処理システム１００が備える各装置の動作について説明する。
【００９６】
図８は、情報処理システム１００が備える各装置の動作を示すフローチャートである。
【００９７】
図８において、フローチャートＦＡは、プリンター１の動作を示すフローチャートであり、フローチャートＦＢは、タブレット端末８０の動作を示すフローチャートであり、フローチャートＦＣは、サーバー３００の動作を示すフローチャートである。
【００９８】
図８のフローチャートＦＡに示すように、プリンター１のプリンター制御部１０は、プリンタータッチパネル１２のタッチセンサーからの入力に基づいて、対応アプリ１１ｂを起動する指示があったか否かを判別する（ステップＳＡ１）。
【００９９】
プリンター制御部１０は、対応アプリ１１ｂを起動する指示があったと判別した場合（ステップＳＡ１：ＹＥＳ）、プリンター記憶部１１に記憶される対応アプリ１１ｂを読み出し、対応アプリ１１ｂを起動する（ステップＳＡ２）。プリンター制御部１０は、ステップＳＡ３以降の処理について、対応アプリ１１ｂの機能により実行する。
【０１００】
ここで、タブレット端末８０の動作の説明に移り、図８のフローチャートＦＢに示すように、タブレット端末８０のタブレット制御部８１は、タブレットタッチパネル８４のタッチセンサーからの入力に基づいて、解析アプリ８２ａを起動する指示があったか否かを判別する（ステップＳＢ１）。
【０１０１】
タブレット制御部８１は、解析アプリ８２ａを起動する指示があったと判別した場合（ステップＳＢ１：ＹＥＳ）、タブレット記憶部８２に記憶される解析アプリ８２ａを読み出し、解析アプリ８２ａを起動する（ステップＳＢ２）。タブレット制御部８１は、ステップＳＢ３以降の処理について、解析アプリ８２ａの機能により実行する。
【０１０２】
タブレット制御部８１は、解析アプリ８２ａを起動すると、タブレットネットワーク通信部８３により、解析アプリ８２ａを起動したことを示す起動情報を、グローバルネットワークＧＮを介してサーバー３００に送信する（ステップＳＢ３）。
【０１０３】
図８のフローチャートＦＣに示すように、サーバー３００のサーバー制御部３１０は、サーバーネットワーク通信部３５０により、起動情報をタブレット端末８０から受信する（ステップＳＣ１）。
【０１０４】
次いで、サーバー制御部３１０は、サーバー記憶部３２０が記憶する解析データ３２０ａを、サーバーネットワーク通信部３５０により、タブレット端末８０に送信する（ステップＳＣ２）。
【０１０５】
図８のフローチャートＦＢに示すように、タブレット端末８０のタブレット制御部８１は、タブレットネットワーク通信部８３により解析データ３２０ａをサーバー３００から受信する（ステップＳＢ４）。
【０１０６】
ここで、プリンター１の動作の説明に移り、プリンター１のプリンター制御部１０は、動作を開始するか否かを判別する（ステップＳＡ３）。例えば、プリンター制御部１０は、図示せぬＲＩＰ装置から印刷データを受信した場合、印刷動作を実行すると判別する（ステップＳＡ３：ＹＥＳ）。また、例えば、プリンター制御部１０は、印刷媒体Ｍの頭出し（印刷開始位置の調整）の実行のトリガーがあった場合、印刷媒体Ｍの搬送動作を実行すると判別する（ステップＳＡ３：ＹＥＳ）。また、例えば、プリンター制御部１０は、インクジェットヘッド２１に対してクリーニング動作の実行のトリガーがあった場合、クリーニング動作を実行すると判別する（ステップＳＡ３：ＹＥＳ）。なお、クリーニング動作は、インクジェットヘッド２１のノズルの内部に溜まるインクを強制的に吸引し、時間経過に伴い発生するインクの増粘に起因した吐出不良を防止する動作である。
【０１０７】
プリンター制御部１０は、動作を開始すると判別すると（ステップＳＡ３：ＹＥＳ）、開始する動作の種類を示す動作種類情報を、プリンター通信部１５によりタブレット端末８０に送信する（ステップＳＡ４）。プリンター制御部１０は、動作種類情報をタブレット端末８０に送信すると、送信した動作種類情報が示す種類の動作を開始する（ステップＳＡ５）。
【０１０８】
図８のフローチャートＦＢに示すように、タブレット端末８０のタブレット制御部８１は、タブレット通信部８５により動作種類情報をプリンター１から受信する（ステップＳＢ５）。次いで、タブレット制御部８１は、集音部８６により、プリンター１の内部音の集音を開始する（ステップＳＢ６）。
【０１０９】
次いで、タブレット制御部８１は、集音部８６により集音したプリンター１の内部音に対して内部音解析処理を実行するか否かを判別する（ステップＳＢ７）。内部音解析処理とは、集音部８６により集音したプリンター１の内部音を示す音声データと、解析データ３２０ａが記憶する音声データとを比較して、プリンター１の内部音が正常な内部音か異常な内部音かを判定する処理である。ステップＳＢ７において、タブレット制御部８１は、集音を開始してから所定期間（例えば、２秒）経過した場合、内部音解析処理を実行すると判別し（ステップＳＢ７：ＹＥＳ）、経過していない場合、内部音解析処理を実行しないと判別する（ステップＳＢ７：ＮＯ）。なお、この所定期間は、内部音解析処理において十分な解析を実行できるための音声データを集音可能な期間であり、事前のテストやシミュレーション等によって設定される。
【０１１０】
タブレット制御部８１は、内部音声解析処理を実行すると判別すると（ステップＳＢ７：ＹＥＳ）、集音部８６により集音したプリンター１の内部音を示す音声データと、解析データ３２０ａが含む音声データとに基づいて内部音声解析処理を実行する（ステップＳＢ８）。
【０１１１】
ここで、内部音声解析処理について説明する。
タブレット制御部８１は、ステップＳＢ５で受信した動作種類情報と一致する動作種類情報が対応付く音声データを解析データ３２０ａから特定する。タブレット制御部８１は、解析データ３２０ａから音声データを特定すると、集音部８６により集音したプリンター１の内部音を示す音声データと、解析データ３２０ａから特定した音声データとを比較する。比較対象は、音声データの振幅や、周波数、波長、周期、速度等が挙げられる。タブレット制御部８１は、比較することで、集音したプリンター１の内部音を示す音声データと、解析データ３２０ａから特定した音声データとの一致点、又は、相違点の少なくともいずれかを抽出する。そして、例えば、タブレット制御部８１は、抽出した一致点の数が、所定の閾値以上である場合、プリンター１の内部音が正常な内部音であると判定し、所定の閾値を下回る場合、異常な内部音であると判定する。また、例えば、タブレット制御部８１は、抽出した相違点の数が、所定の閾値を下回る場合、プリンター１の内部音が正常な内部音であると判定し、所定の閾値以上である場合、異常な内部音であると判定する。
なお、内部音声解析処理の具体的な処理は、上記判定を実行する処理であればこのような処理内容に限定されない。
【０１１２】
上述したように、集音装置設置部５００が上述した構成を具備することで、凹部４００に挿入されたタブレット端末８０に、精度よくプリンター１の内部音を集音させることができるため、タブレット制御部８１は、精度よく内部音解析処理を実行できる。つまり、タブレット制御部８１は、プリンター１の内部音が正常な内部音か異常な内部音かを精度よく判定できる。
【０１１３】
タブレット制御部８１は、内部音解析処理を実行すると、内部音解析処理において判定した解析結果に基づいて、プリンター１の内部音が正常な内部音であるか否かを判別する（ステップＳＢ９）。
【０１１４】
タブレット制御部８１は、プリンター１の内部音が正常な内部音であると判別した場合（ステップＳＢ９：ＹＥＳ）、正常な内部音であることの解析結果を示す結果情報を、タブレット通信部８５によりプリンター１に送信する（ステップＳＢ１０）。
【０１１５】
図８のフローチャートＦＡに示すように、プリンター１のプリンター制御部１０は、正常な内部音であることの解析結果を示す解析結果情報を、プリンター通信部１５により受信する（ステップＳＡ６）。次いで、プリンター制御部１０は、プリンター１の内部音が正常な内部音であることを示す情報、又は、印刷機構６０に不具合が発生していないことを示す情報を、プリンタータッチパネル１２により表示する（ステップＳＡ７）。これにより、ユーザーは、プリンター１の内部において異音が発生していないこと、印刷機構６０に不具合が発生していないことを認識できる。
【０１１６】
図８のフローチャートＦＢのステップＳＢ９の説明に戻り、タブレット制御部８１は、プリンター１の内部音が正常な内部音でないと判別した場合（ステップＳＢ９：ＮＯ）、すなわち、プリンター１の内部音が異常な内部音であると判別した場合、異常な内部音であることを示す情報と、動作種類情報と、集音した音声データとを含む解析結果情報を、タブレットネットワーク通信部８３によりサーバー３００に送信する（ステップＳＢ１１）。
【０１１７】
図８のフローチャートＦＣに示すように、サーバー３００のサーバー制御部３１０は、サーバーネットワーク通信部３５０により、解析結果情報を受信する（ステップＳＣ３）。次いで、サーバー制御部３１０は、解析結果情報を受信すると、解析結果情報が含む種類情報と音声データとに基づいて、印刷機構特定処理を実行する（ステップＳＣ４）。印刷機構特定処理とは、不具合の発生し得る、又は、不具合が発生している印刷機構６０を特定する処理であり、また、プリンター１の内部に発生する異音の発生源を特定する処理である。
【０１１８】
例えば、サーバー制御部３１０は、所定のアルゴリズムにより、音声データを解析して音声データの特徴を抽出する。そして、過去に抽出した特徴と、特徴の起因となる印刷機構６０とが対応付くデータベースを参照し、サーバー制御部３１０は、不具合が発生し得る、又は、不具合が発生している印刷機構６０を特定する。なお、印刷機構特定処理は、不具合が発生し得る、又は、不具合が発生している印刷機構６０を特定可能な処理であれば、上述した処理に限定されず、いずれの処理を採用できる。
【０１１９】
サーバー制御部３１０は、印刷機構特定処理において特定した印刷機構６０を示す印刷機構情報を、サーバーネットワーク通信部３５０によりタブレット端末８０に送信する（ステップＳＣ５）。
【０１２０】
図８のフローチャートＦＢに示すように、タブレット端末８０のタブレット制御部８１は、サーバーネットワーク通信部３５０により、印刷機構情報を受信する（ステップＳＢ１２）。次いで、タブレット制御部８１は、プリンター１の内部音が異常な内部音であることの解析結果情報と、ステップＢ１２で受信した印刷機構情報とを、タブレット通信部８５によりプリンター１に送信する（ステップＳＢ１３）。
【０１２１】
図８のフローチャートＦＡに示すように、プリンター１のプリンター制御部１０は、異常な内部音であることの解析結果を示す解析結果情報と、印刷機構情報とを、プリンター通信部１５により受信する（ステップＳＡ６）。次いで、プリンター制御部１０は、プリンター１の内部音が異常な内部音であることを示す情報と、異常な内部音の発生源としての印刷機構６０を示す情報とを、プリンタータッチパネル１２により表示する（ステップＳＡ７）。これにより、ユーザーは、プリンター１の内部において異音が発生していること、及び、異音の発生源がどの印刷機構６０であるかを認識できる。
【０１２２】
このように、情報処理システム１００は、タブレット端末８０によりプリンター１の内部音を集音することでプリンター１の状態を監視し、不具合が発生し得る、又は、不具合が発生した印刷機構６０をユーザーに報知する。これにより、ユーザーが、不具合が発生し得る、又は、不具合が発生した印刷機構６０を認識できる。これに伴って、印刷機構６０の不具合に起因して印刷動作が停止する前に、ユーザーが当該印刷機構６０に対する対処を行える蓋然性が高まる。従来から、印刷機構６０の駆動回数をカウントし、カウント値が所定の閾値を越えた時点で、印刷機構６０に不具合が発生し得る、又は、発生したことをユーザーに報知する技術が知られている。しかしながら、この技術は、比較的長い期間、プリンター１を使用することが前提となっているため、プリンター１を使用開始した初期段階では、不具合が発生し得る、又は、不具合が発生している印刷機構６０をユーザーに報知できない。そこで、上述したように、タブレット端末８０によりプリンター１の内部音を集音しプリンター１の状態を監視することで、情報処理システム１００は、プリンター１を使用開始した初期段階において発生した印刷機構６０の不具合についても、ユーザーに報知できる。
【０１２３】
また、上述したように、プリンター１が精度よくタブレット端末８０にプリンター１の内部音を集音させることができるため、プリンター制御部１０は、プリンター１内の異音の発生の有無を精度よくユーザーに報知できる。
【０１２４】
なお、上述した動作では、サーバー３００が印刷機構特定処理を実行する構成を説明したが、タブレット端末８０が印刷機構特定処理を実行してもよい。また、上述した動作では、タブレット端末８０が、プリンター１の内部音が異常な内部音と判別した場合にサーバー３００に印刷機構特定処理を実行させる構成を説明したが、サーバー３００に印刷機構特定処理を実行させることなく、プリンター１に内部音解析処理の解析結果を示す解析結果情報を送信してもよい。この場合、プリンター１は、ユーザーに対して異音の発生源について報知できないが、少なくともプリンター１の内部において異音が発生していることを報知できる。
【０１２５】
また、上述した動作では、プリンター１が開始する動作の動作種類情報をタブレット端末８０に送信することを説明したが、プリンター１は、動作種類情報をタブレット端末８０に送信しなくてもよい。この場合のプリンター１とタブレット端末８０の動作について説明する。
【０１２６】
プリンター１のプリンター制御部１０は、ログファイル１１ａに、実行する動作の動作種類情報と、動作を開始した時刻を示す時刻情報とを記録する。タブレット端末８０のタブレット制御部８１は、プリンター１の動作開始と共に集音部８６により集音を開始し、集音したプリンター１の内部音を示す音声データに、集音時刻を示す集音時刻情報を対応付ける。プリンター１の動作が終了し、タブレット端末８０も集音を終了すると、タブレット端末８０のタブレット制御部８１は、プリンター１からログファイル１１ａを取得する。そして、タブレット制御部８１は、ログファイル１１ａを参照して、ある種類情報に対応する時刻情報を抽出し、抽出した時刻情報と合致する集音時刻情報に対応付く音声データを、ある種類情報が示す種類の動作実行時におけるプリンター１の内部音を示す音声データとして特定する。
【０１２７】
このように、プリンター１が動作種類情報を送信しない構成でも、タブレット端末８０は、動作の種類に対応する音声データを的確に判別でき、正確に内部音解析処理を実行することができる。
【０１２８】
以上、説明したように、プリンター１（駆動装置、印刷装置）は、印刷機構６０（駆動機構）と、印刷機構を覆う本体ケース５０（ケース）と、本体ケース５０に、外部からタブレット端末８０（集音装置）を挿入可能な、本体ケース５０の内部（すなわち、プリンター１の内部）と連通する空間を形成する凹部４００と、凹部４００内の空間と本体ケース５０内の空間とを屈曲を介して接続する連通部６００とを備える。
【０１２９】
この構成によれば、凹部４００内の空間と本体ケース５０内の空間との連通部６００が、屈曲して連続する空間を構成するため、プリンター１の内部に発生したインクのミスト等の浮遊物が貫通穴６１０を介してタブレット端末８０に付着することを抑制できる。したがって、プリンター１は、タブレット端末８０にインクのミスト等の浮遊物により影響を与えることを抑制した上で、タブレット端末８０によりプリンター１の内部音を集音させることができる。つまり、プリンター１は、タブレット端末８０にインクが付着することを抑制した上で、タブレット端末８０によりプリンター１の内部音を集音させることができる。
【０１３０】
また、連通部６００は、本体ケース５０に貫通する貫通穴６１０と、本体ケース５０内部において貫通穴６１０と重なるように配置された壁部形成部材６３０ａ（壁部）とにより構成される。
【０１３１】
この構成によれば、連通部６００は、壁部形成部材６３０ａが貫通穴６１０への浮遊物の進入を抑制する壁として機能し、タブレット端末８０にインクのミスト等の浮遊物が付着することをより確実に抑制できる。つまり、連通部６００は、タブレット端末８０に影響を与えることをより確実に抑制できる。つまり、プリンター１は、タブレット端末８０にインクが付着することを確実に抑制できる。
【０１３２】
また、凹部４００内には、凹部４００と凹部４００に挿入されたタブレット端末８０との間に生じる隙間を塞ぐ塞ぎ部材７００が設けられる。
【０１３３】
この構成によれば、タブレット端末８０にプリンター１の内部音以外の音を集音することを抑制でき、精度よくタブレット端末８０にプリンター１の内部音を集音させることができる。また、塞ぎ部材７００は、振動緩衝部材８００と押付部材９００と合わせて、凹部４００に挿入されたタブレット端末８０が凹部４００内で振動することをさらに抑制できる。したがって、プリンター１は、タブレット端末８０が集音するプリンター１の内部音に当該振動に起因したノイズが重畳することを抑制でき、タブレット端末８０にプリンター１の内部音を精度よく集音させることができる。
【０１３４】
また、凹部４００の底部４２０には、振動緩衝部材８００が配置される。タブレット端末８０を振動緩衝部材８００に押し付ける押付部材９００が、本体ケース５０に配置される。
【０１３５】
この構成によれば、振動緩衝部材８００と押付部材９００により凹部４００に挿入されたタブレット端末８０が振動することを抑制できるため、タブレット端末８０が集音するプリンター１の内部音に、振動に起因したノイズが重畳することを抑制できる。そのため、プリンター１は、精度よくタブレット端末８０にプリンター１の内部音を集音させることができる。
【０１３６】
また、本体ケース５０は、複数の凹部４００を有する。凹部４００は、本体ケース５０の幅方向において本体ケース５０の中央部ＴＢより端部側に形成される。
【０１３７】
この構成によれば、プリンター１の内部音を、複数箇所でタブレット端末８０に集音させることができる。特に、凹部４００は、プリンター１の幅方向において中央部ＴＢより端部側に形成される。前述した通り、本実施形態のプリンター１は、キャリッジ２２をＸ方向に走査させて印刷を実行するシリアル型のプリンターであるため、Ｘ方向において中央部ＴＢより端部側に、キャリッジ２２を駆動するキャリッジ駆動モーターや、キャリッジ駆動ローラーの動力をキャリッジ２２に伝達するギアやカム等により構成される動力伝達機構、印刷媒体Ｍを搬送する搬送モーター、搬送モーターの動力を伝達する動力伝達機構等が配置されることが多い。そこで、プリンター１は、プリンター１の幅方向において中央部ＴＢより端部側に集音装置設置部５００を複数設けることで、複数箇所で、モーター、及び、モーターの動力伝達機構が発する音をプリンター１の内部音としてタブレット端末８０に集音させることができる。複数箇所で集音できるようにすることで、箇所に応じたプリンター１の内部音の異なりを取得することができ、ユーザーは、プリンター１の内部における異音の発生源をより特定し易くなる。
【０１３８】
また、凹部４００を形成する凹部形成部材４３０（形成部材）は、本体ケース５０に対して着脱可能に構成される。
【０１３９】
この構成によれば、凹部形成部材４３０が本体ケース５０に対して着脱可能に構成することにより、ユーザーが、プリンター１の内部音の集音を望む場合において、タブレット端末８０を挿入可能な凹部４００を設定できる。換言すると、ユーザーが内部音の集音を望まない場合には、凹部４００の設定を解消できる。そのため、プリンター１の内部音を集音しない場合には、プリンター１の筐体から凹部形成部材４３０が突出しないように設定でき、プリンター１の筐体をシンプルにできる。
【０１４０】
なお、上述した実施の形態は、あくまでも本発明の一態様を示すものであり、本発明の範囲内で任意に変形および応用が可能である。
【０１４１】
上述した実施形態では、集音装置として内部にマイク８６１を搭載するタブレット端末８０を例示したが、集音装置は、タブレット端末８０に限定されない。例えば、集音装置は、マイク８６１でもよく、レコーダー等のようなマイク８６１を搭載する装置でもよい。この場合、塞ぎ部材７００の凹部４００内での形状は、凹部４００内に挿入される集音装置に適した形状が採用される。また、押付部材９００の接触部材９３０の形状も、凹部４００内に挿入される集音装置に適した形状が採用される。
【０１４２】
また、上述した実施形態では、プリンター１の表示により、少なくともプリンター１に異音が発生しているか否かを報知する構成を例示したが、報知態様は、プリンター１の表示に限定されない。例えば、報知態様は、印刷システム２００を利用する印刷会社の従業員が所有する端末に通知する態様でもよい。また、異音が発生していると判定した場合、音声を再生できるようにしてもよい。この際、異音が発生していると判定された音声データと、異音が発生していない音声データを同時に再生して比較してもよい。このとき、ステレオで再生できる場合は、異音が発生していると判定された音声データと異音が発生していない音声データをステレオの左右に割り当てて、ユーザーが認識しやすいよう再生してもよい。また、異音が発生していると判定された音声データと異音が発生していない音声データの差分を作成し、音声の差分を再生してユーザーが認識しやすい形で再生してもよい。
【０１４３】
また、例えば、図８の処理単位は、プリンター１、タブレット端末８０、及び、サーバー３００の処理を理解容易にするために、主な処理内容に応じて分割したものであり、処理単位の分割の仕方や名称によって、本発明が限定されることはない。処理内容に応じて、されに多くの処理単位に分割してもよい。また、１つの処理単位がさらに多くの処理を含むように分割してもよい。
【０１４４】
また、図７に示した各機能部は機能的構成を示すものであって、具体的な実装形態は特に限定されない。つまり、必ずしも各機能部に個別に対応するハードウェアが実装される必要はなく、一つのプロセッサーがプログラムを実行することで複数の機能部の機能を実現する構成とすることも勿論可能である。また、上述した実施形態においてソフトウェアで実現される機能の一部をハードウェアとしてもよく、或いは、ハードウェアで実現される機能の一部をソフトウェアで実現してもよい。その他、プリンター１、タブレット端末８０、及び、サーバー３００の他の各部の具体的な細部構成についても、本発明の趣旨を逸脱しない範囲で任意に変更可能である。
【符号の説明】
【０１４５】
１…プリンター（駆動装置、印刷装置）、５０…本体ケース（ケース）、５０ａ…右側ケース（ケース）、５０ｂ…カバーケース（ケース）、５０ｃ…左側ケース（ケース）、６０…印刷機構（駆動機構）、７０ａ…右側傾斜部、８０…タブレット端末（集音装置）、８０ａ…前面、８０ｂ…背面、４００…凹部、４１０…壁部、４１０ａ…壁部形成部材、４２０…底部、４２０ａ…底部形成部材、４３０…凹部形成部材（形成部材）、５００…集音装置設置部、６００…連通部、６１０…貫通穴、６２０…凹部、６３０…壁部、６３０ａ…壁部形成部材（壁部）、６４０…頂部、６４０ａ…頂部形成部材、６５０…凹部形成部材、７００…塞ぎ部材、７００ａ…塞ぎ部材、７００ｂ…塞ぎ部材、７０１…右側傾斜外部面、７０２…右側傾斜内部面、８００…振動緩衝部材、８６１…マイク、９００…押付部材、９１０…ネジ軸、９２０…ナット、９３０…接触部材、９４０…ネジ孔、９５０…固定部材、ＴＢ…中央部。
【図１】
2019064072.tif 000003
【図２】
2019064072.tif 000004
【図３】
2019064072.tif 000005
【図４】
2019064072.tif 000006
【図５】
2019064072.tif 000007
【図６】
2019064072.tif 000008
【図７】
2019064072.tif 000009
【図８】
2019064072.tif 000010